(57)【要約】【課題】マットレスへの装着及び取り外しが容易であって、かつゴムバンドが伸びきるなどの不具合を生じることが無く、さらには折り畳みマットにも使用することができるキルトパッドと、該キルトパッドとマットレスで構成された寝具の提供を目的とする。【解決手段】キルトパッド２０の裏面の長さ方向の両端部に、マットレス３０の長さ方向の端部が挿入される袋状部２２、２３を有し、マットレス３０を第１マット部３１と、第１マット部３１の長さ方向一端に連結された第２マット部３２と、第１マット部３１の長さ方向他端に連結された第３マット部３３とで構成し、マットレス３０を折り畳み可能にした。【選択図】図１
0003197084.tif 000002
【実用新案登録請求の範囲】
【請求項１】
マットレスの上に敷くキルトパッドにおいて、
前記キルトパッドの裏面の長さ方向の両端部に、前記マットレスの長さ方向の端部が挿入される袋状部を有することを特徴とするキルトパッド。
【請求項２】
前記マットレスが、第1マット部と、前記第１マット部の長さ方向一端に連結された第２マット部と、前記第1マット部の長さ方向他端に連結された第３マット部とからなって折り畳み可能であることを特徴とする請求項１に記載のキルトパッド。
【請求項３】
マットレスと、該マットレスの上に敷くキルトパッドとよりなる寝具において、
前記キルトパッドの裏面の長さ方向の両端部に、前記マットレスの長さ方向の端部が挿入される袋状部を有することを特徴とする寝具。
【請求項４】
前記マットレスが、第1マット部と、前記第１マット部の長さ方向一端に連結された第２マット部と、前記第1マット部の長さ方向他端に連結された第３マット部とからなって折り畳み可能であることを特徴とする請求項３に記載の寝具。
【考案の詳細な説明】
【技術分野】
【０００１】
本考案は、マットレスの上に敷くキルトパッドと、マットレス及びキルトパッドで構成された寝具に関する。
【背景技術】
【０００２】
従来、寝具として、マットレスの上にキルトパッドを敷くものがある。キルトパッドは表地（キルトトップ）と裏地との間に綿（キルト綿）などを入れて、刺し縫いし、模様を浮き出させた物である。
【０００３】
しかし、従来のキルトパッドにあっては、マットレス上に単に載置するだけのものであるため、マットレス上に載置する際及び載置後の使用中にマットレスからずれやすい問題がある。
【０００４】
なお、複数枚の連結されたマットに被せるパッドとして、パッドの裏面側四隅に、マットへの固定バンドを設け、連結されたマットの四隅にパッド四隅の固定バンドを掛けて固定するものがある。
しかし、四隅に固定バンドを有するパッドにあっては、使用期間中に固定バンドのゴムが伸びきって、固定できなくなる虞がある。
【０００５】
また、マットレスの周囲を覆うカバーには、マットレスを挿脱する開口部が形成されてマットレスの上面から裏面の縁まで覆う袋状とされ、前記開口部からマットレスをカバー内に挿入して被せるものがある。
しかし、袋状のカバーは、マットレスに正しく被せたり、マットレスから外したりする作業が面倒であり、キルトパッドを同様の構成としても同様の問題がある。
【先行技術文献】
【特許文献】
【０００６】
【特許文献１】実公平６−２２２８３号公報
【特許文献２】特開２００２−２８０６１号公報
【特許文献３】実用新案登録第３１０９４５０号公報
【特許文献４】実用新案登録第３１７４０７２号公報
【考案の概要】
【考案が解決しようとする課題】
【０００７】
本考案は前記の点に鑑みなされたものであり、マットレスへの装着及び取り外しが容易であって、かつゴムバンドが伸びきるなどの不具合を生じることが無く、さらには折り畳みマットにも使用することができるキルトパッドと、該キルトパッドとマットレスで構成された寝具に関する。
【課題を解決するための手段】
【０００８】
請求項１の考案は、マットレスの上に敷くキルトパッドにおいて、前記キルトパッドの裏面の長さ方向の両端部に、前記マットレスの長さ方向の端部が挿入される袋状部を有することを特徴とする。
【０００９】
請求項２の考案は、請求項１において、前記マットレスが、第1マット部と、前記第１マット部の長さ方向一端に連結された第２マット部と、前記第1マット部の長さ方向他端に連結された第３マット部とからなって折り畳み可能であることを特徴とする。
【００１０】
請求項３の考案は、マットレスと、該マットレスの上に敷くキルトパッドとよりなる寝具において、前記キルトパッドの裏面の長さ方向の両端部に、前記マットレスの長さ方向の端部が挿入される袋状部を有することを特徴とする。
【００１１】
請求項４の考案は、請求項３において、前記マットレスが、第1マット部と、前記第１マット部の長さ方向一端に連結された第２マット部と、前記第1マット部の長さ方向他端に連結された第３マット部とからなって折り畳み可能であることを特徴とする。
【考案の効果】
【００１２】
この考案のキルトパッド及び寝具によれば、キルトパッドをマットレスの上に敷く際に、キルトパッドの裏面の両端部に形成されている袋状部にマットレスの端部を挿入することにより、キルトパッドをマットレス上に正しく固定することができ、作業が簡単である。また、キルトパッドをマットレスから剥がす際には、キルトパッド両端部の袋状部からマットレスの端部を抜くだけでよく、作業が簡単である。しかも、袋状部はゴムと異なり使用中に伸びきることがなく、長期に亘って不具合無く使用できる。
【００１３】
さらに、この考案のキルトパッド及び寝具によれば、マットレスを第1マット部と、前記第１マット部の長さ方向一端に連結された第２マット部と、前記第1マット部の長さ方向他端に連結された第３マット部とからなって折り畳み可能なものとすることにより、折り畳み式のマットレスに対してもキルトパッドの装着、取り外しを容易に行うことができる。
【図面の簡単な説明】
【００１４】
【図１】本考案の第１実施例のキルトパッドをマットレス上に敷いた寝具を示す斜視図である。
【図２】第１実施例のキルトパッドをマットレスから外した状態を示す斜視図である。
【図３】第１実施例のマットレスにキルトパッドを敷く際の途中までの側面図である。
【図４】第１実施例のマットレスにキルトパッドを敷く際の続きを示す側面図である。
【図５】第１実施例の寝具を折り畳む際の側面図である。
【図６】第２実施例のキルトパッドをマットレス上に敷いた寝具を示す斜視図である。
【図７】第２実施例のキルトパッドをマットレスから外した状態を示す斜視図である。
【図８】第２実施例のキルトパッドをマットレス上に敷く際の側面図である。
【図９】第２実施例のキルトパッドをマットレスから外す際の側面図である。
【考案を実施するための形態】
【００１５】
以下に、本考案の実施例のキルトパッド及び寝具について説明する。
まず第１実施例のキルトパッド及び寝具について示す。図１及び図２に示す第１実施例の寝具１０は、キルトパッド２０をマットレス３０の上に敷いたものである。なお、図における符号Ｌは、寝具１０、キルトパッド２０及びマットレス３０の長さ方向である。
【００１６】
キルトパッド２０は、キルトパッド本体部２１と、前記キルトパッド本体部２１の裏面の長さ方向Ｌの両端部に形成された袋状部２２、２３とよりなる。
前記キルトパッド本体部２１は、表地（キルトトップ）と裏地との間に綿（キルト綿）などを入れて、刺し縫いし、模様を浮き出させたパッドである。
【００１７】
前記袋状部２２、２３は、それぞれ対向して形成された挿入用開口２２ａ、２３ａを備え、前記挿入用開口２２ａ、２３ａから挿入されたマットレス３０の長さ方向の端部３２ａ、３３ａを覆うことが可能に構成されている。前記袋状部２２、２３の材質は、布、合成樹脂シート等からなる。また、前記袋状部２２、２３間はマットレス３０を包み込まないものが好ましい。
【００１８】
マットレス３０は、第１マット部３１と、前記第１マット部３１の長さ方向一端の上縁に連結された第２マット部３２と、前記第１マット部３１の長さ方向他端の下縁に連結された第３マット部３３とよりなって、図３の（３−１）及び（３−２）のようにＺ状に折り畳み可能に構成されている。なお、符号３４は、前記第１マット部３１と第２マット部３２の連結部であり、符号３５は、前記第１マット部３１と第３マット部３３の連結部である。
【００１９】
前記第１マット部３１、前記第２マット部３２及び前記第３マット部３３は、それぞれ平面視四角形からなり、ウレタンフォーム等のクッション材を表皮で覆ったもので構成され、各マット部３１、３２、３３の表皮部分で連結されている。
【００２０】
前記キルトパッド２０を前記マットレス３０の上に敷く際の作業例について説明する。
前記キルトパッド２０を前記マットレス３０の上に敷く際、図３の（３−１）に示すように前記マットレス３０が折り畳まれている場合には、まず、図３の（３−２）〜（３−４）に示すようにマットレス３０を伸ばし、伸ばしたマットレス３０の長さ方向一側のマット部、例えば第３マット部３３の長さ方向端部３３ａを、前記キルトパッド２０の一方の袋状部２３の挿入用開口２３ａから挿入し、前記第３マット部３３の端部３３ａに前記キルトパッド２０の一方の袋状部２３を被せる。
【００２１】
次に図４の（４−１）及び（４−２）に示すように、前記マットレス３０の長さ方向他側のマットレス部、すなわち前記キルトパッド２０の袋状部２３が被さっていない第２マット部３２を上方へ起こし、起こした第２マット部３２の長さ方向端部３２ａを、前記キルトパッド２０の他方の袋状部２２の挿入用開口２２ａから挿入し、前記第２マット部３２の端部３２ａに前記キルトパッド２０の他方の袋状部２２を被せる。その後、図４の（４−３）のように、前記第２マット部３２を倒して横にし、前記マットレス３０を伸ばす。
【００２２】
一方、前記マットレス３０上のキルトパッド２０を前記マットレス３０から外す際には、前記キルトパッド２０を前記マットレス３０に敷く場合と反対の手順で行えばよく、簡単な作業でキルトパッド２０を外すことができる。
【００２３】
また、前記キルトパッド２０をマットレス３０から外すことなく、前記マットレス３０上に敷いた状態で図５に示すように前記寝具１０を折り畳むことも可能である。
なお、前記キルトパッド２０をマットレス３０から外すことなく前記寝具１０を折り畳む場合に、前記キルトパッド２０の袋状部２２、２３を外す方向へずらすことなく前記マットレス３０を折り畳めるようにするには、前記キルトパッド２０の袋状部２２、２３の開口端から該袋状部２２、２３が被さっている第２マット部３２及び第３マット部３３の連結側端部までの距離Ｓ１が、各マット部の厚み（マットレスの厚みと等しい）Ｔ１に対し、Ｓ１≧Ｔ１であるのが好ましい。換言すると、前記袋状部２２、２３を前記第２マット部３２及び第３マット部３３の端部に被せた際に、前記第２マット部３２及び第３マット部３３において前記袋状部２２、２３が被さっていない部分（露出している部分）の長さＳ１が、各マット部の厚みＴ１以上となるように前記キルトパッド２０を形成するのが好ましい。
【００２４】
この場合の作用について図５の例を用いて説明する。前記寝具１０を折り畳む際に、前記第１マット部３１と第３マット部３３の連結部３５の端面Ｊ１、Ｊ３に前記キルトパッド２０の裏面が接触し、それによって前記第１マット部３１と前記第２マット部３２の表面に重なっている前記キルトパッド２０の部分が、前記第１マット部３１と第２マット部３２の連結部３４側から前記第１マット部３１と第３マット部３３の連結部３５側へ引っ張られる。その際、前記第１マット部３１と前記第２マット部３２の表面に重なっている前記キルトパッド２０の部分は、前記第２マット部３２の端部に被さっている前記キルトパッド２０の袋状部２２の開口端まで、前記第１マット部３１の表面と前記第２マット部３２の表面からそれぞれ剥がれて前記第１マット部３１と第３マット部３３の連結部３５側へ移動することができる。そのため、前記キルトパッド２０をＳ１≧Ｔ１となるように形成しておくことにより、前記キルトパッド２０は、前記第１マット部３１の表面と前記第２マット部３２の表面に重なっている部分において、前記第１マット部３１と前記第２マット部３２の連結部３４からそれぞれ最大Ｓ１（≧Ｔ１）までの部分が、前記第１マット部３１の表面と前記第２マット部３２の表面から剥がれて前記第１マット部３１と第３マット部３３の連結部３５側へ移動するだけで、前記第１マット部３１と第３マット部３３の端面Ｊ１、Ｊ３に重なるキルトパッド２０の部分Ｆ（マット部分の厚みＴの２倍分）を確保することができ、前記キルトパッド２０の袋状部２２が前記第２マット部３２の端部から抜けたり、ずれたりするのを防ぐことができる。
【００２５】
本考案の第２実施例のキルトパッド及び寝具について説明する。図６及び図７に示す第２実施例の寝具１００は、第２実施例のキルトパッド２００を第２実施例のマットレス３００の上に敷いたものである。なお、図における符号Ｌは、寝具１００、キルトパッド２００及びマットレス３００の長さ方向である。
【００２６】
キルトパッド２００は、キルトパッド本体部２１０と、前記キルトパッド本体部２１０の裏面の長さ方向Ｌの両端部に形成された袋状部２２０、２３０とよりなる。前記キルトパッド２００の各部の構成は、第１実施例のキルトパッド２０と同様の構成からなる。符号２２０ａ、２３０ａは、前記袋状部２２０、２３０に形成されている挿入用開口であり、該挿入用開口２２０ａ、２３０ａからマットレス３００の端部が挿入される。
【００２７】
マットレス３００は、第１マット部３１０と、前記第１マット部３１０の長さ方向一端の上縁に連結された第２マット部３２０と、前記第１マット部３１０の長さ方向他端の上縁に連結された第３マット部３３０とよりなって、図８の（８−１）のように前記第２マット部３２０及び前記第３マット部３３０が前記第１マット部３１０上に折り畳み可能に構成されている。なお、符号３４０は、前記第１マット部３１０と第２マット部３２０の連結部であり、符号３５０は、前記第１マット部３１０と第３マット部３３０の連結部である。
【００２８】
前記マットレス３００は、前記第２マット部３２０及び前記第３マット部３３０を前記第１マット部３１０の上に折り畳んだ場合に、前記第２マット部３２０の端部（自由端）３２０ａと前記第３マット部３３０の端部(自由端)３３０ａが上下に重ならず、図８の（８−１）のように所定間隔で離れた状態、または接触する状態（図示せず）となるように各マット部の長さを設定するのが、折り畳んだ状態での収納に嵩張らなくてよい。
【００２９】
前記第１マット部３１０、前記第２マット部３２０及び前記第３マット部３３０は、それぞれ平面視四角形からなり、ウレタンフォーム等のクッション材を表皮で覆ったもので構成され、各マット部３１０、３２０、３３０の表皮部分で連結されている。
【００３０】
前記キルトパッド２００を前記マットレス３００の上に敷く場合と、前記マットレス３００上のキルトパッド２００を前記マットレス３００から外す場合の一例について説明する。
前記キルトパッド２００を前記マットレス３００上に敷く際、図８の（８−１）に示すように前記マットレス３００が折り畳まれている場合には、最初に前記第１マット部３１０上の第２マット部３２０及び第３マット部３３０の何れか一方を起こして上向きに立たせる。また、図７のように前記マットレス３００が伸ばされている場合にも、前記第２マット部３２０及び前記第３マット部３３０の何れか一方を最初に起こして上向きに立たせる。
【００３１】
一方のマット部を立たせた状態で前記キルトパッド２００の袋状部２２０、２３０の何れか一方を、立たせたマット部の端部（自由端）に被せ、続いて他方のマット部も起こして上向きに立たせ、前記キルトパッド２００の他方の袋状部を、立たせたマット部の端部（自由端）に被せる。すなわち、図８の（８−２）に示すように、前記キルトパッド２００の両袋状部２２０、２３０を、前記第２マット部３２０の端部（自由端）３２０ａと前記第３マット部３３０の端部(自由端)３３０ａに被せる。そして、前記袋状部２２０、２３０内の奥まで、前記第２マット部３２０の端部（自由端）３２０ａと前記第３マット部３３０の端部(自由端)３３０ａを挿入し、図８の（８−３）に示すように、前記キルトパッド２００を前記マットレス３００の上面に配置する。その後、図８の（８−４）のように前記第２マット部３２０及び第３マット部３３０を倒して横にし、前記マットレス３００を伸ばす。
【００３２】
一方、前記マットレス３００上のキルトパッド２００を前記マットレス３００から外す際には、図９の（９−１）に示すように前記キルトパッド２００がマットレス３００上に敷かれて該マットレス３００が伸ばされた状態から、図９の（９−２）に示すように前記第２マット部３２０と第３マット部３３０を起こして上方へ立たせた状態とし、その状態で図９の（９−３）に示すように前記キルトパッド２００の袋状部２２０、２３０を上方へ引っ張り上げて前記第２マット部３２０の端部（自由端）３２０ａと前記第３マット部３３０の端部(自由端)３３０ａから抜き取り、前記キルトパッド２００を前記マットレス３００から外す。なお、その際に、一方のマット部のみを起こして上方へ立たせた状態で前記キルトパッド２００の一方の袋状部を、立たせたマットの端部（自由端）から抜き取り、次に他方のマット部を起こして上方へ立たせた状態にして前記キルトパッド２００の他方の袋状部を抜き取ってもよい。その後、前記マットレス３００を収納等する場合には、図９の（９−４）に示すように、前記第２マット部３２０及び第３マット部３３０を前記第１マット部３１０上に折り畳んでコンパクトにすることができる。なお、前記キルトパッド２００をマットレスから外すことなく、前記キルトパッド２００をマットレス３００上に敷いた状態で前記寝具１００を折り畳むことも可能である。
【００３３】
前記キルトパッドに対して使用可能なマットレスは、第１実施例のようなＺ状に折り畳み可能なものや、第２実施例のような観音開きタイプの折り畳み可能なものに限られず、折り畳みのできない一枚ものに対しても、該マットレスの両端側を上下方向へ撓ませることが可能なものであれば使用することができる。
【００３４】
このように、本考案のキルトパッド及び寝具は、キルトパッドをマットレスの上に敷く作業及び外す作業が簡単である。しかも、キルトパッドの袋状部はゴムと異なり使用中に伸びきることがなく、長期に亘って不具合無く使用できる。さらに、マットレスが折り畳み可能なものに対してもキルトパッドをマットレス上に敷いたり、マットレスから外したりする作業を簡単に行うことができる。
【符号の説明】
【００３５】
１０、１００  寝具
２０、２００  キルトパッド
２１、２１０  キルトパッド本体
２２、２３、２２０、２３０  袋状部
３０、３００  マットレス
３１、３１０  第１マット部
３２、３２０  第２マット部
３２ａ、３２０ａ  第２マット部の端部
３３、３３０  第３マット部
３３ａ、３３０ａ  第３マット部の端部
【図１】
0003197084.tif 000003
【図２】
0003197084.tif 000004
【図３】
0003197084.tif 000005
【図４】
0003197084.tif 000006
【図５】
0003197084.tif 000007
【図６】
0003197084.tif 000008
【図７】
0003197084.tif 000009
【図８】
0003197084.tif 000010
【図９】
0003197084.tif 000011